(57)【要約】   【課題】  ＱＣＭセンサーを免疫センサーとして用いる場合、得られる周波数変化は抗原−抗体反応等の生体反応、あるいは吸着反応により電極表面に付着した測定対象物質の質量に比例する。しかし試料溶液中の測定対象物質の分子量が小さい場合、あるいは存在濃度が極めて低い場合、その周波数変化は非常に小さくなり、定量が極めて困難になるという問題があった。抗原−抗体反応により電極上に担持された抗体と抗原が結合した後に、更に抗体を吸着させた増感粒子を加え周波数変化を増幅させる方法が提案されているが、未だ十分でない。  【解決手段】  増感粒子を加え周波数を増幅させると共に、架橋性化合物を添加し増感粒子同士の結合を発現することにより周波数変化を増幅させる。【選択図】    無し【特許請求の範囲】
【請求項１】
溶液中の測定対象物質を定量するＱＣＭセンサーを用いた定量方法であって、電極表面に前記測定対象物質の特定部位と特異的に反応する基質Ａが固定化されており、質量増感微粒子表面に基質Ｂと基質Ｃとが固定化されており、前記基質Ｂは前記測定対象物質の部位のうち前記基質Ａと反応する部位とは異なる部位と特異的に反応する物質であり、前記基質Ｃは前記測定対象物質、前記基質Ａ、前記基質Ｂとは反応性を示さない物質であり、前記測定対象物質が前記基質Ａと前記基質Ｂと反応することによって、前記電極と前記質量増感微粒子との間に前記測定対象物質を挟みこむ工程と、前記基質Ｃと特異的に反応する基質Ｄを1分子中に少なくとも２分子以上有する架橋性化合物Ｅを添加する工程とを有するＱＣＭセンサーを用いた定量方法。
【請求項２】
前記測定対象物質を挟みこむ工程と前記架橋性化合物Ｅを添加する工程との間に未反応の前記質量増感微粒子を除去するための洗浄工程を有することを特徴とする請求項１に記載のＱＣＭセンサーを用いた定量方法。
【請求項３】
前記質量増感微粒子がラテックス粒子、または金コロイド粒子であることを特徴とする請求項１または請求項２に記載のＱＣＭセンサーを用いた定量方法。
【請求項４】
前記基質Ｃがアビジン誘導体であることを特徴とする請求項１から請求項３のいずれか一項に記載のＱＣＭセンサーを用いた定量方法。
【請求項５】
前記架橋性化合物Ｅがポリエチレンオキシド鎖を介して前記基質Ｄを有する水溶性化合物であることを特徴とする請求項１から請求項４のいずれか一項に記載のＱＣＭセンサーを用いた定量方法。
【請求項６】
前記基質Ｄがビオチン誘導体であることを特徴とする請求項１から請求項５のいずれか一項に記載のＱＣＭセンサーを用いた定量方法。
【発明の詳細な説明】
【技術分野】
【０００１】
本発明は、ＱＣＭセンサーを用いた定量方法に関し、特に溶液試料に含まれる測定対象物質を認識、定量するセンサーにおいて、微量な測定対象物質の定量を行うための増感方法に関するものである。
【背景技術】
【０００２】
水晶振動子を利用したセンサーで、水晶電極表面上に特定の測定対象物質を認識し特異的反応を生じる機能性膜を設け、試料溶液中に存在する測定対象物質が機能膜と反応し、水晶電極表面に吸着した際の質量変化を周波数変化として捉え、測定対象物質濃度を測定するＱＣＭセンサーが開発されている。
【０００３】
たとえば、電極上に特定のにおい分子を吸着する脂質膜等を形成し、におい分子の吸着に伴い周波数変化を生じるＱＣＭにおいセンサーが存在する。
【０００４】
また、電極上に特定の抗原と反応する抗体を担持し、抗原−抗体反応により生体試料中の抗体を定量するＱＣＭ免疫センサーが存在する。
【０００５】
ＱＣＭセンサーを免疫センサーとして用いる場合、得られる周波数変化は抗原−抗体反応等による生体反応、あるいは吸着反応により電極表面に付着した測定対象物質の質量に比例する。しかし試料溶液中の測定対象物質の分子量が小さい場合、あるいは存在濃度が極めて低い場合、得られる周波数変化は非常に小さくなり、定量が極めて困難になる。
【０００６】
その場合、水晶振動子側の工夫として、微量な周波数変化を検出するために、個々の水晶振動子自身の経時的周波数変化や、周波数の温度依存性をキャンセルする目的で、一つの水晶振動子上に複数の電極を設け、そのうちの一つをリファレンス電極とし個々の水晶振動子自身の経時的周波数変化や、周波数の温度依存性をキャンセルする方法がある。
【０００７】
一方、反応系側の工夫として、抗原−抗体反応により電極上に担持された抗体と抗原が結合した後に、更に抗体を吸着させたラテックス粒子を加え、更なる抗原−抗体反応により結合したラテックス粒子の質量により周波数変化を増幅させる方法が提案されている（例えば、特許文献１参照）。
【０００８】
上記の特許文献１によれば、分子量約１５万のヒトＩｇＧを検出する際、抗体を吸着したラテックス粒子を用いた場合は、用いない場合と比較して約２倍の増感効果が認められている。
【０００９】
また、溶液中の低分子化合物を高感度に測定する方法として、同様にラテックスビーズを用いて分子量が数百の低分子化合物を検出し、ラテックスビーズを用いた場合は、用いない場合と比較して約１０００倍の増感効果が認められている（例えば、特許文献２参照）。
【００１０】
【特許文献１】特開昭６３−１１８３５号公報(請求項1)
【００１１】
【特許文献２】特開２００２−７１５４０号公報(請求項1)
【発明の開示】
【発明が解決しようとする課題】
【００１２】
上記特許文献の機能化ラテックス粒子による質量増感方法はＱＣＭセンサーにとって非常に効果的な手法である。
【００１３】
電極表面に反応し吸着している測定対象物質とラテックスビーズが１：１で反応すると仮定し、単純に増感効率を推定すると直径２５０ｎｍラテックス粒子を用いた場合、例えば特許文献２の様な分子量数百の低分子化合物を検出する場合の増感効果は約１０７〜１０８倍、特許文献１の様な分子量数万から数十万の生体物質を検出する場合の増感効果は約１０５〜１０６倍となる。
【００１４】
しかしながら、実際の反応では、ラテックス粒子径が大きくなるほど粒子の占有面積が広くなることから、電極上の測定対象物質とラテックス粒子が１：１で反応することは無く、また電極上の測定対象物質に対して反応性を有する基質についても、単独で溶液中に分散している場合とラテックス表面に固定化されている場合とでは、電極上の測定対象物質との反応効率も同等ではないことから上記推定増感効果は得られず、特許文献１に記載されている実施例のように２倍程度、あるいは特許文献２に記載されている実施例のように１０００倍程度の増感効果となる。
【００１５】
本発明は、従来のラテックス粒子を用いた方法に加え、更なる増感効果が得られるQCMセンサーを用いた定量方法を提供することを目的とする。
【課題を解決するための手段】
【００１６】
本発明のQCMセンサーを用いた定量方法は、溶液中の測定対象物質を定量するQCMセンサーを用いた定量方法であって、電極表面に測定対象物質の特定部位と特異的に反応する基質Ａが固定化されており、質量増感微粒子表面に基質Bと基質Cとが固定化されており、基質Bは測定対象物質の部位のうち基質Aと反応する部位とは異なる部位と特異的に反応する物質であり、基質Cは測定対象物質、基質Ａ、基質Ｂとは反応性を示さない物質であり、測定対象物質が基質Ａと基質Ｂと反応することによって、電極と質量増感微粒子との間に測定対象物質を挟みこむ工程と、基質Ｃと特異的に反応する基質Ｄを1分子中に少なくとも２分子以上有する架橋性化合物Eを添加する工程とを有することを特徴とするものである。
【００１７】
ＱＣＭセンサーチップの電極は、化学的に安定な電極材料であれば用いることが可能であり、金、白金、パラジウム等を用いることができ、これらの電極は水晶基板上に、メッキ、蒸着、スパッタ法などにより直接、あるいはチタン、クロムなどの密着層を介して設ける事が可能である。
【００１８】
測定対象物質の特定部位と特異的に反応する基質Ａを固定化する方法は特に限定されず、例えば電極として金電極を用いた場合は基質Ａに存在するチオール基との反応により直接固定化する方法、あるいは電極上に自己組織化膜を形成し、それらの自己組織化膜を介して基質Ａに存在するカルボキシル基やアミノ基を作用させ固定化する方法等を用いることができる。
【００１９】
基質Ａとしては、測定対象物質を抗原とする抗体を用いることが可能であり、例えば測定対象物質がｈＣＧ，ＬＨ等の糖蛋白ホルモンの場合はそれぞれ抗ｈＣＧ抗体、抗ＬＨ抗体などを用いることができ、更に例えば測定対象物質がＡ型、Ｂ型インフルエンザウイルスの場合はそれぞれ抗Ａ型インフルエンザウイルス抗体、抗Ｂ型インフルエンザウイルス抗体を用いることができる。
【００２０】
更に、免疫測定などで用いられるサンドイッチ法を本発明に当てはめた場合、電極上に固定化された一次抗体が基質Ａに、測定対象物質はその抗体に対する抗原に、質量増感微
粒子表面への基質Ｂは抗原に対する二次抗体となる。
【００２１】
測定対象物質を挟み込む工程は、先ず測定対象物質と質量増感微粒子とをあらかじめ反応させた後に電極上の基質Ａに作用させる場合と、測定対象物質をあらかじめ基質Ａと反応させた後に質量増感微粒子を作用させる場合と、測定対象物質、基質Ａ並びに質量増感微粒子を共存させる場合が考えられるが、本発明においてはどの方法を用いても構わない。
【００２２】
本発明のQCMセンサーを用いた定量方法は、測定対象物質を挟みこむ工程と架橋性化合物Eを添加する工程との間に未反応の質量増感微粒子を除去するための洗浄工程を有することが好ましい。
【００２３】
更に、本発明のQCMセンサーを用いた定量方法において質量増感微粒子はラテックス粒子、あるいは金コロイド粒子であることが好ましい。
【００２４】
質量増感微粒子の粒径は溶液中で沈降、凝集しない粒径のものであれば用いることが可能であり、金コロイドの場合は５ｎｍ〜２００ｎｍ、好ましくは２０ｎｍ〜８０ｎｍ粒径を、ラテックス粒子の場合は１００ｎｍ〜１０００ｎｍ、好ましくは１００ｎｍ〜３００ｎｍ粒径のものを用いることができる。
【００２５】
質量増感微粒子表面への基質Ｂ、および基質Ｃの固定化方法は特に限定されず、質量増感微粒子としてラテックス粒子を用いる場合、例えば表面をカルボキシル基で修飾したラテックス粒子に対して、ＥＤＣ（１−（３−ジメチルアミノプロピル）−３−エチルカルボジイミト゛，塩酸塩）やＥＤＣとＮＨＳ（Ｎ−ヒドロキシスクシンイミド）の混合液を作用させカルボキシル基を活性化させた後に、基質Ｂと基質Ｃを作用させ、粒子表面の活性化カルボキシル基と基質Ｂと基質Ｃのアミノ基を反応させることにより固定化する方法等を用いることができる。
【００２６】
更に、本発明のQCMセンサーを用いた定量方法において基質Ｃがアビジン誘導体であることが好ましい。
【００２７】
アビジンはビオチンと特異的に反応する分子量６８，０００の塩基性糖タンパク質であり、１分子当たり４分子のビオチンと結合し、その複合体はきわめて安定なことから種々の生体物質の分析や生化学分析に利用されている。アビジン誘導体として分子中に糖鎖を含まない分子量約６０，０００のストレプトアビジンもアビジンと同様に用いることができる。
【００２８】
また、本発明のQCMセンサーを用いた定量方法において架橋性化合物Eがポリエチレンオキシド鎖を介して基質Ｄを有する水溶性化合物であることが好ましい。
【００２９】
ポリエチレンオキシド鎖の長さはエチレンオキシドの重合度ｎにより決定される。例えば１分子中に２分子のビオチン誘導体を有する架橋性化合物Ｅの場合、ｎが３〜１０であることが好ましい。ｎが３未満であると架橋性化合物Ｅの水への溶解性が低下してしまう。また１０より大きい場合は、アビジンービオチン結合を介した質量増感微粒子間の結合長が長くなり、本発明の増感効果が低減化されてしまう。
【００３０】
１分子中に２分子のビオチン誘導体を有する架橋性化合物Ｅとして化１で示される化合物を用いることができる。
【００３１】
【化１】
2006275864.tif 000002
【００３２】
また、１分子中に４分子のビオチン誘導体を有する架橋性化合物Ｅとして化２で示される化合物を用いることができる。
【００３３】
【化２】
2006275864.tif 000003
【００３４】
更に、本発明のQCMセンサーを用いた定量方法において基質Ｄがビオチン誘導体であることが好ましい。
【００３５】
ここで述べるビオチン誘導体とはポリエチレンオキシド鎖とビオチン分子を結合させることにより誘導されるものであり、例えば両末端にアミノ基を有する重合度ｎが５のポリエチレンオキシドとＮ−スクシンイミド基を有するビオチンを反応させることにより、上記化１に示す架橋性化合物Ｅを得ることができる。
【００３６】
（作用）
本発明のＱＣＭセンサーを用いた定量方法によると、従来の質量増感微粒子による増感効果に加えて、架橋性化合物中を作用させることにより質量増感微粒子同士の３次元的架橋反応が起こり、より剛直な質量増感微粒子を含む膜が電極上に固定化されることにより更なる増感効果が発現するものと考えられる。
【発明の効果】
【００３７】
本発明によれば、従来の質量増感微粒子を用いたＱＣＭ測定方法では困難であった低濃度物質の生体物質の定量、例えば高感度測定が必要なウイルス性感染症の迅速検査、炎症マーカーの定量等が可能となる。
【００３８】
また本発明によれば、数百から数千の低分子量物質の定量、例えば種々の疾病に関連する生体代謝物質１，５ＡＥやクレアチニン、あるいはダイオキシン、ＰＣＢなどの大気汚染物質の定量等が可能となる。
【発明を実施するための最良の形態】
【００３９】
以下、本発明のＱＣＭセンサーを用いた定量方法について、基質Ａとして抗マウスＩｇＧ（Ｆｃ）抗体を、測定対象物質としてマウスＩｇＧを、基質Ｂとして抗マウスＩｇＧ（Ｈ＋Ｌ）抗体を用いた実施例を示し、更に詳しく説明する。
【００４０】
（実施例１）
金電極を設けた３８ＭＨｚ水晶振動子をピランハ溶液（濃硫酸：３５％過酸化水素水＝３：１）で洗浄後、１００μｇ／ｍL濃度の抗マウスＩｇＧ（Ｆｃ）抗体のＰＢＳ溶液（ｐＨ：７．２）を電極部分に乗せ、湿潤箱中で1時間室温放置しその後、ＰＢＳ溶液で洗浄することで、電極上に抗マウスＩｇＧ（Ｆｃ）抗体を固定化した。
【００４１】
次に、抗マウスＩｇＧ（Ｆｃ）抗体固定化センサーチップ電極の電極部分に１μｇ／ｍL濃度のマウスＩｇＧのＰＢＳ溶液（ｐＨ：７．２）を電極部分に乗せ、湿潤箱中で1０分間放置後、ＰＢＳ溶液で洗浄することで抗マウスＩｇＧ（Ｆｃ）抗体とマウスＩｇＧを反応させた。
【００４２】
次に、マウスＩｇＧを反応させた抗マウスＩｇＧ（Ｆｃ）抗体固定化センサーチップ電極を、２５℃に保ったＰＢＳ溶液入りのガラス製反応容器中に浸漬した。水晶振動子は水中において水の粘度や浸漬前後の温度によって周波数が変動する。これらの要因に起因する周波数のドリフトが無くなり安定した時点での周波数を、初期の周波数（１）とした。
【００４３】
次に反応容器中に抗マウスＩｇＧ（Ｈ＋Ｌ）抗体とアビジンを固定化した平均粒径２００ｎｍのラテックスビーズを抗体濃度が２００ｎｇ／ｍLとなるように添加して、測定対象物質であるマウスＩｇＧが基質Ａである抗マウスＩｇＧ（Ｆｃ）抗体と基質Ｂである抗マウスＩｇＧ（Ｈ＋Ｌ）抗体と反応することによって、電極と質量増感微粒子であるラテックスビーズとの間に測定対象物質であるマウスＩｇＧを挟み込んだ。添加後１０分後の周波数（２）と初期の周波数（１）の差は−４８２Ｈｚであった。
【００４４】
１０分反応後、センサーチップを引き上げＰＢＳ溶液にて電極表面を洗浄後、PBS溶液を入れたガラス製反応容器中に浸漬し、周波数（３）を記録したところ、先ほどの周波数（２）とほとんど変化がないことを確認した。
【００４５】
次に、反応容器中に化１で示される２官能ビオチン化合物をビオチン分子濃度換算で２００ｎｇ／ｍLとなるように添加した。１０分後の周波数（４）と周波数（３）の差は−６４５Ｈｚであった。
【００４６】
（比較例１）
実施例１と同様に、マウスＩｇＧを反応させた抗マウスＩｇＧ（Ｆｃ）抗体固定化センサーチップ電極を、ＰＢＳ溶液を入れたガラス製反応容器中に浸漬し、初期の周波数（１）を記録した。次に反応容器中に抗マウスＩｇＧ（Ｈ＋Ｌ）抗体を抗体濃度が２００ｎｇ／ｍLとなるように添加した。１０分後の周波数（２）と初期の周波数（１）の差は−１６３Ｈｚであった。
【００４７】
（比較例２）
化１で示される２官能ビオチン化合物をビオチンに変えた他は実施例１と同様の操作を行ったところ、周波数（４）と周波数（３）の差、すなわちビオチン添加前と添加後の周波数変化は全く観察されなかった。
【００４８】
以上、比較例１の周波数（２）と初期の周波数（１）の差と、実施例１の周波数（２）と初期の周波数（１）の差とを比較することにより、質量増感微粒子であるラテックスビーズを用いることで質量増感が可能であることが判った。すなわち、従来特許文献１に相当する増感効果は約３倍であった。
【００４９】
更に、実施例１の周波数（４）と周波数（３）の差より、質量増感微粒子に対して架橋性化合物を作用させることにより、単に質量増感微粒子を作用させる場合よりも更に２倍以上、すなわち比較例１の抗マウスＩｇＧ（Ｈ＋Ｌ）抗体のみを作用させる場合と比較して約６〜７倍の増感効果が現れることが判る。
【００５０】
また、比較例２と実施例１の結果より、１分子中に複数のビオチン分子を有する化合物、すなわち架橋性化合物の添加が質量増感に非常に効果的に作用することが判る。
【００５１】
上記実施例は、本発明を説明する一つの事例に過ぎず、本発明のQCMセンサーを用いた定量方法は、測定対象物質の種類や測定対象物質に特異的に反応する基質の選択、質量増感微粒子の粒径等の選択により更なる質量増感が可能となる。